(57)【特許請求の範囲】
【請求項１】
磁界を発生する電機子を有するステータと、当該ステータに対して回転自在に軸支される回転子と、当該回転子に固定されて当該回転子と一体的に回転する羽根部とを備えるファンモータにおいて、
前記回転子におけるモータ軸との取付部に環状溝部が形成されており、
前記回転子と前記羽根部とを分離可能とし、当該羽根部を当該回転子に対して着脱可能に取り付けたことを特徴とするファンモータ。
【請求項２】
前記羽根部は、一枚の板状部材からプレス成形されることを特徴とする請求項１に記載のファンモータ。
【発明の詳細な説明】
【０００１】
【発明の属する技術分野】
本発明は、一枚の板状部材からプレス成形された羽根部を回転子に着脱可能に取り付けたファンモータに関するものである。
【０００２】
【従来の技術】
従来のファンモータは、羽根部と回転子とがプレス加工などによりヨークと共に一体的に成形されて、ステータに対して回転自在に軸支されている（例えば、特開平１０−３３６９５３号公報参照）。
【０００３】
【発明が解決しようとする課題】
しかしながら、上記従来の構成において羽根部の大きさや形状を変更するためには、回転子の大きさや形状に変更がない場合であっても新たに羽根部と回転子とを一体的に作り込まなくてはならず、また、バーリング加工が必要なことにより設計変更に伴うコストが割高になるという問題がある。
【０００４】
本発明は、上記課題に鑑みてなされ、その目的は、羽根部と回転子とを分離可能にして羽根部の形状変更などに伴う製造工程の煩雑化を防止し、コスト低減を図ることができるファンモータを提供することである。
【０００５】
【課題を解決するための手段】
上述した課題を解決し、目的を達成するために、本発明のファンモータは、磁界を発生する電機子を有するステータと、当該ステータに対して回転自在に軸支される回転子と、当該回転子に固定されて当該回転子と一体的に回転する羽根部とを備えるファンモータにおいて、前記回転子におけるモータ軸との取付部に環状溝部が形成されており、前記回転子と前記羽根部とを分離可能とし、当該羽根部を当該回転子に対して着脱可能に取り付けた。
【０００６】
また、好ましくは、前記羽根部は、一枚の板状部材からプレス成形される。
【０００８】
【発明の実施の形態】
以下に、本発明の好適な一実施形態につき、添付の図面を参照して説明する。
【０００９】
尚、以下に説明する実施の形態は、本発明の実現手段としての一例であり、本発明は、その趣旨を逸脱しない範囲で下記実施形態を修正又は変形したものに適用可能である。
【００１０】
図１（ａ）は本発明に係る実施形態のファンモータの断面図、図１（ｂ）は、図１（ａ）のＡ部の拡大図、図２（ａ）は本発明に係る実施形態のファンモータの平面図、図２（ｂ）は側面図、図３は図１のファンモータからハウジングを取り除いた平面図、図４は図１のファンモータの羽根部のみの展開図であり、本実施形態のブラシレス軸流ファンモータ１は、ＣＰＵなどの電子部品の加熱防止用や他の加熱防止が必要な装置内に搭載され、導電コイルが巻かれた電機子コイルを有するステータ２と、当該ステータ２に対して回転自在に軸支される回転子３と、当該回転子３に固定されて当該回転子３と一体的に回転する羽根部４とを備え、ＡＢＳ樹脂やポリプロピレン樹脂などの素材から射出成形される通気可能なハウジング５に保持されている。
【００１１】
ステータ２は、ＡＢＳ樹脂やポリプロピレン樹脂などの素材からハウジング５と一体的に射出成形される円盤状のステータ基部２ａと、このステータ基部２ａの中心から上方に突出する円筒状の軸支部２ｂとが設けられている。
【００１２】
ステータ基部２ａの上面には、軸支部２ｂの周囲を取り囲むように電機子コイル６が固定され、回転子３に設けられた永久磁石７に対向して配設されている。
【００１３】
軸支部２ｂには、ラジアル玉軸受８（或いは、焼結メタル軸受）が圧入固定され、この軸受８を介して回転子３の回転軸３ａが抜け止めされつつ回転自在に軸支されており、回転軸３のスラスト方向の荷重はスラストワッシャ３ｂで支持すると共に、回転軸３のラジアル方向の荷重についてのみ専ら上記軸受８で支持するように構成されている。
【００１４】
また、ラジアル玉軸受と焼結メタル軸受の双方、または２個のラジアル玉軸受で回転軸３ａを軸支するようにしてもよい。
【００１５】
回転子３は、円盤状の上板部３ｃとこの上板部の周縁から折れ曲がって下方に延びる周縁部３ｄとを有する断面逆凹状に形成され、ステータ２の電機子コイル６側に開口している。
【００１６】
この回転子３の上板部３ｃの中心には回転軸３ａがインサート樹脂成形などにより一体に固着されており、電機子コイル６側に延びている。回転子３における回転軸３ａとの取付部には前記ラジアル玉軸受や焼結メタル軸受に対応して共有可能とするために、環状溝部３ｅが形成されている。この構成について、本願出願人は特願２０００−３５０９４４にて羽根部と回転子部とが一体となったファン形状について開示している。
【００１７】
また、回転子３の凹状空間には、回転軸３ａの周囲を取り囲むように電機子コイル６に対して所定距離だけ離間させて対向配置される永久磁石７が固定されている。更に、回転子３と永久磁石７との間には軟磁性材料よりなるヨーク９が配設されている。
【００１８】
電機子コイル６は、コイルが空芯状に巻回された状態でステータ基部２ａ上に固定され、ステータ２は、不図示のホール素子により回転子３に固定されている多極着磁された環状の永久磁石７の極性変化を検出して、この検出結果に基づきコイルに対する通電を切り換えて行なうことで、回転磁界を発生し、回転子の回転駆動を行なうブラシレスモータを構成している。
【００１９】
回転子３の外面には、回転子３に対して分離可能で且つ着脱可能に取り付けられる羽根部４が設けられている。
【００２０】
羽根部４は、円盤状の羽根基部４ａと、この羽根基部４ａから放射状に延びる複数のフィン部４ｂとを有する。この羽根部４は、一枚の板状部材をプレス成形することにより容易に製造することができる。板状部材としてはアルミニウムやステンレス、又は鋼板などの金属板が使用可能であるが、樹脂フィルムをホットプレスにて作成してもよい。
【００２１】
フィン部４ｂは、羽根基部４ａから湾曲しつつ放射状に延びる複数のアーム部４ｂ１と、このアーム部４ｂ１の端部に形成された矩形部４ｂ２とを有する。
【００２２】
即ち、図４のように板状金属の羽根部４をプレス成形した後、図３のようにフィン部４ｂを回転子３の周縁部３ｄに沿って羽根基部４ａの付け根から破線４ｃに沿って折り紙の要領で折り曲げて容易に作成可能である。更に、回転子３の回転方向とは反対方向に湾曲した形状とし、図示矢印方向に回転することで紙面の表と裏から空気が送り込まれ、少なくとも１箇所の側面に設けられた送風孔５ａより軸に直角方向に送り出されるときに、羽根面積を広くするようにして送風性能を向上するように構成される。
【００２３】
上記構成において、羽根部４を回転子３に対して分離可能に構成したことによって、例えば、図５の示すようにフィン部１４ｂを羽根基部１４ａから階段状に拡大して冷却性能を高めるための設計変更をする場合など、羽根部４の大きさや形状を大幅に変更する際にも、新たなプレス成形型を準備するだけでよいので、羽根部４の設計変更に伴う製造工程の煩雑化を防止し、コスト低減を図ることができる。
【００２４】
また、上記のように羽根部４のみを別に成形しておき、この羽根部４と回転子３と軸３ａとをインサートモールドにより一体的に成形することもでき、図１の回転子形状とすることで軸受構造に関わらず、多様なサイズ及び形状の羽根部４，１４にも対応可能となる。
【００２５】
更に、羽根部４のフィン部４ｂは、羽根基部４ａの付け根から折り曲げるだけで形成できるので、図６のように折り曲げ後の羽根部が複雑な三次元形状であってもプレス成形により容易に製造することができ、また、フィン部４ｂ（アーム部４ｂ１）を回転子３の周縁部３ｄまで拡大することができ、ファンモータ１の１回転当たりの送風量を高めて冷却性能を大きく改善することができる。
【００２６】
更に、図１乃至図３に記載の軸に垂直方向に送風するブロワーファンタイプの構成も図５及び図６に記載の軸に水平方向に送風する軸流ファンタイプの構成も適宜実施可能となる。
【００２７】
なお、上記実施形態はブラシレスファンモータについてのみ述べたが、これに限定されず、種々の用途のモータに本発明は適用可能であることは言うまでもない。
【００２８】
【発明の効果】
以上説明したように、本発明によれば、羽根部と回転子とを分離可能にして羽根部の形状変更などに伴う製造工程の煩雑化を防止し、コスト低減を図ることができると共に、樹脂製のファンでは難しかった羽根部の肉厚を薄くすることが可能となるので風切り音が軽減し、かつ送風性能を向上する超薄型のファンモータを提供することである。
【図面の簡単な説明】
【図１】（ａ）は本発明に係る実施形態のファンモータの断面図であり、（ｂ）は（ａ）のＡ部の拡大図である。
【図２】（ａ）は本発明に係る実施形態のファンモータの平面図であり、（ｂ）は本発明に係る実施形態のファンモータの側面図である。
【図３】図１のファンモータからハウジングを取り除いた平面図である。
【図４】図１のファンモータの羽根部のみの展開図である。
【図５】図１乃至図４と異なる形状の羽根部の展開図である。
【図６】図５の羽根部の側面図である。
【符号の説明】
１  ファンモータ
２  ステータ
３  回転子
３ａ  回転軸
３ｂ  スラストワッシャ
４  羽根部
５  ハウジング
５ａ  送風孔
６  電機子コイル
７  永久磁石
８  ラジアル玉軸受
９  ヨーク
【図１】
0003557189.tif 000002
【図２】
0003557189.tif 000003
【図３】
0003557189.tif 000004
【図４】
0003557189.tif 000005
【図５】
0003557189.tif 000006
【図６】
0003557189.tif 000007